(57)【特許請求の範囲】
【請求項１】
地中に打設された鋼管杭と、
該鋼管杭に固定された鉛直支柱と、
塀部材とを備え、
前記塀部材は、
板状の木質材と、
該木質材の両面に貼り付けられ、該木質材の両側縁から突出する外壁材とからなり、
前記鉛直支柱は、隣り合う前記塀部材の前記木質材と前記外壁材とで形成される鉛直空間内に挿入されており、
前記塀部材と前記鉛直支柱とは、前記鉛直空間に充填材が充填され、該充填材が固結することで連結されており、
前記木質材の両側縁上方に、吊金具が取り付けられている
ことを特徴とする耐震外構塀。
【請求項２】
地中に打設された鋼管杭と、
該鋼管杭に固定された鉛直支柱と、
塀部材とを備え、
前記塀部材は、既設の外構塀であり、
前記鉛直支柱は、前記既設外構塀から所定間隔を空けて設けられており、
前記既設外構塀と前記鉛直支柱とは、
一端が該既設外構塀に固定され、他端が該鉛直支柱に固定された連結鉄筋と、
該既設外構塀と該鉛直支柱とを包み込むようにコンクリートを打設し固結して形成された補強壁とで連結されている
ことを特徴とする耐震外構塀。
【請求項３】
前記既設外構塀の表面に貼り付けられ、端部が前記補強壁の内部に埋め込まれた金網を備えている
ことを特徴とする請求項２記載の耐震外構塀。
【請求項４】
地中に打設された鋼管杭と、
該鋼管杭に固定された鉛直支柱と、
塀部材とを備え、
前記塀部材と前記鉛直支柱とは、該塀部材と該鉛直支柱との間に充填材が充填され、該充填材が固結することで連結されており、
前記鉛直支柱は、ＰＣ鋼棒である
ことを特徴とする耐震外構塀。
【請求項５】
地中に打設された鋼管杭と、
該鋼管杭に固定された鉛直支柱と、
塀部材とを備え、
前記塀部材は、
板状の木質材と、
該木質材の両面に貼り付けられ、該木質材の両側縁から突出する外壁材とからなり、
前記鉛直支柱は、隣り合う前記塀部材の前記木質材と前記外壁材とで形成される鉛直空間内に挿入されており、
前記塀部材と前記鉛直支柱とは、前記鉛直空間に充填材が充填され、該充填材が固結することで連結されており、
前記鉛直支柱は、ＰＣ鋼棒である
ことを特徴とする耐震外構塀。
【請求項６】
地中に打設された鋼管杭と、
該鋼管杭に固定された鉛直支柱と、
塀部材とを備え、
前記塀部材は、
板状の木質材と、
該木質材の両面に貼り付けられ、該木質材の両側縁から突出する外壁材とからなり、
前記鉛直支柱は、隣り合う前記塀部材の前記木質材と前記外壁材とで形成される鉛直空間内に挿入されており、
前記塀部材と前記鉛直支柱とは、前記鉛直空間に充填材が充填され、該充填材が固結することで連結されており、
前記塀部材は、分割されており、
前記鉛直支柱は、ＰＣ鋼棒である
ことを特徴とする耐震外構塀。
【請求項７】
前記鉛直支柱は、ＰＣ鋼棒である
ことを特徴とする請求項１、２または３記載の耐震外構塀。
【請求項８】
鋼管杭を地中に打設し、
鉛直支柱を前記鋼管杭に固定し、
塀部材と前記鉛直支柱とを連結するにあたり、
前記塀部材は、既設の外構塀であり、
前記鉛直支柱を、前記既設外構塀から所定間隔を空けて設け、
前記既設外構塀と前記鉛直支柱とを、
連結鉄筋の一端を該既設外構塀に固定し、他端を該鉛直支柱に固定し、
該既設外構塀と該鉛直支柱とを包み込むようにコンクリートを打設し固結して補強壁を形成することで連結する
ことを特徴とする耐震外構塀の施工方法。
【請求項９】
金網を前記既設外構塀の表面に貼り付け、端部を前記補強壁の内部に埋め込む
ことを特徴とする請求項８記載の耐震外構塀の施工方法。
【発明の詳細な説明】
【技術分野】
【０００１】
本発明は、耐震外構塀およびその施工方法に関する。さらに詳しくは、例えば建物の外周に設置される外構塀であって、耐震性を有する耐震外構塀およびその施工方法に関する。
【背景技術】
【０００２】
過去の巨大地震（震度６程度）によれば、外構塀の倒壊によって、人的被害のほか、緊急車両の通行の妨げや、避難路の確保に支障をきたすことがあった。
また、防災科学研究所が発表しているように、今後３０年以内に東海・東南海・南海地震が発生する確率は、５０〜８７％と非常に高く、しかも震度６以上の地震が予想されている。特に東海・東南海・南海地震では５ｍを越える津波が発生し、都市部に３０分程度で押し寄せて来るので、避難路の確保は重要である。そのため、既設の外構塀の撤去や耐震補強工事が推進されているが、特殊な工事となり工事費が高価であることと、既設外構塀と建物等との間に十分な空間が取れないこと等の理由により、耐震補強工事が捗ってないのが現状である。
【０００３】
外構塀の耐震に関する技術として、例えば特許文献１に記載の技術がある。
本従来技術は、外構塀主体を発泡系合成樹脂パネルで構成し、コンクリート塀に比べて軽量とすることで、耐震性を増す技術である。
しかるに、ＪＩＳ  Ａ５４０６には、コンクリートブロックの全断面積に対する圧縮強さは4N/mm2以上と規定されているが、発泡系合成樹脂パネルの圧縮強さは0.1〜1N/mm2と非常に弱い。また、曲げ強さも0.1〜1N/mm2と非常に弱い。そのため、台風時の強風等による風圧に耐えられず飛ばされる危険性があるなど、外構塀としての強度が弱いという問題がある。
【０００４】
また、特許文献２には、既設外構塀に支柱を連結することで、耐震補強をする技術が記載されている。
しかるに、同様の技術を適用して既設外構塀に耐震補強をした過去の経験から、支柱が固定される基礎コンクリートが相当の重量を有していなければ、かえって外面側（道路側）への転倒を助長することになるという問題が分かっている。
また、支柱を設置するため、既設外構塀と建物等との間にかなりの空間が必要であるという問題がある。
さらに、外側面に外面板が貼り付けられるため、外観が損なわれるという問題がある。
【先行技術文献】
【特許文献】
【０００５】
【特許文献１】特開２００９−１６７７７８号公報
【特許文献２】特開２００９−１４４３４１号公報
【発明の概要】
【発明が解決しようとする課題】
【０００６】
本発明は上記事情に鑑み、狭い場所でも施工できる耐震外構塀およびその施工方法を提供することを目的とする。
【課題を解決するための手段】
【０００７】
第１発明の耐震外構塀は、地中に打設された鋼管杭と、該鋼管杭に固定された鉛直支柱と、塀部材とを備え、前記塀部材は、板状の木質材と、該木質材の両面に貼り付けられ、該木質材の両側縁から突出する外壁材とからなり、前記鉛直支柱は、隣り合う前記塀部材の前記木質材と前記外壁材とで形成される鉛直空間内に挿入されており、前記塀部材と前記鉛直支柱とは、前記鉛直空間に充填材が充填され、該充填材が固結することで連結されており、前記木質材の両側縁上方に、吊金具が取り付けられていることを特徴とする。
第２発明の耐震外構塀は、地中に打設された鋼管杭と、該鋼管杭に固定された鉛直支柱と、塀部材とを備え、前記塀部材は、既設の外構塀であり、前記鉛直支柱は、前記既設外構塀から所定間隔を空けて設けられており、前記既設外構塀と前記鉛直支柱とは、一端が該既設外構塀に固定され、他端が該鉛直支柱に固定された連結鉄筋と、該既設外構塀と該鉛直支柱とを包み込むようにコンクリートを打設し固結して形成された補強壁とで連結されていることを特徴とする。
第３発明の耐震外構塀は、第２発明において、前記既設外構塀の表面に貼り付けられ、端部が前記補強壁の内部に埋め込まれた金網を備えていることを特徴とする。
第４発明の耐震外構塀は、地中に打設された鋼管杭と、該鋼管杭に固定された鉛直支柱と、塀部材とを備え、前記塀部材と前記鉛直支柱とは、該塀部材と該鉛直支柱との間に充填材が充填され、該充填材が固結することで連結されており、前記鉛直支柱は、ＰＣ鋼棒であることを特徴とする。
第５発明の耐震外構塀は、地中に打設された鋼管杭と、該鋼管杭に固定された鉛直支柱と、塀部材とを備え、前記塀部材は、板状の木質材と、該木質材の両面に貼り付けられ、該木質材の両側縁から突出する外壁材とからなり、前記鉛直支柱は、隣り合う前記塀部材の前記木質材と前記外壁材とで形成される鉛直空間内に挿入されており、前記塀部材と前記鉛直支柱とは、前記鉛直空間に充填材が充填され、該充填材が固結することで連結されており、前記鉛直支柱は、ＰＣ鋼棒であることを特徴とする。
第６発明の耐震外構塀は、地中に打設された鋼管杭と、該鋼管杭に固定された鉛直支柱と、塀部材とを備え、前記塀部材は、板状の木質材と、該木質材の両面に貼り付けられ、該木質材の両側縁から突出する外壁材とからなり、前記鉛直支柱は、隣り合う前記塀部材の前記木質材と前記外壁材とで形成される鉛直空間内に挿入されており、前記塀部材と前記鉛直支柱とは、前記鉛直空間に充填材が充填され、該充填材が固結することで連結されており、前記塀部材は、分割されており、前記鉛直支柱は、ＰＣ鋼棒であることを特徴とする。
第７発明の耐震外構塀は、第１、第２または第３発明において、前記鉛直支柱は、ＰＣ鋼棒であることを特徴とする。
第８発明の耐震外構塀の施工方法は、鋼管杭を地中に打設し、鉛直支柱を前記鋼管杭に固定し、塀部材と前記鉛直支柱とを連結するにあたり、前記塀部材は、既設の外構塀であり、前記鉛直支柱を、前記既設外構塀から所定間隔を空けて設け、前記既設外構塀と前記鉛直支柱とを、連結鉄筋の一端を該既設外構塀に固定し、他端を該鉛直支柱に固定し、該既設外構塀と該鉛直支柱とを包み込むようにコンクリートを打設し固結して補強壁を形成することで連結することを特徴とする。
第９発明の耐震外構塀の施工方法は、第８発明において、金網を前記既設外構塀の表面に貼り付け、端部を前記補強壁の内部に埋め込むことを特徴とする。
【発明の効果】
【０００８】
第１発明によれば、鋼管杭に固定された鉛直支柱で塀部材を支えるので、基礎コンクリートおよび控壁を無くすことができ、狭い場所でも施工できる。また、鋼管杭を地中に打設するため、鉛直・水平方向に大きな耐力を持ち、地震によって耐震外構塀が倒壊することを防止できる。また、塀部材はコンクリートに比べ軽量であるので、コンクリートブロック塀に比べて、耐震性が高い。また、塀部材に吊金具が取り付けられているので、クレーンで塀部材を鉛直支柱の間に挿入することができ、施工が容易となる。さらに、木質材の両側縁に吊金具が取り付けられているので、施工後は吊金具が隠れ、邪魔にならず、外観が損なわれない。
第２発明によれば、鋼管杭に固定された鉛直支柱で塀部材を支えるので、基礎コンクリートおよび控壁を無くすことができ、狭い場所でも施工できる。また、鋼管杭を地中に打設するため、鉛直・水平方向に大きな耐力を持ち、地震によって耐震外構塀が倒壊することを防止できる。また、鋼管杭に固定された鉛直支柱で既設外構塀を支えるので、既設外構塀の耐震補強ができる。さらに、基礎コンクリートを新たに設ける必要がないので、既設外構塀と建物等との間に十分な空間が取れない場合でも施工できる。
第３発明によれば、金網が既設外構塀の表面に貼り付けられているので、既設外構塀を補強でき、地震の際に危険となる上部ブロックの個々の崩壊を防止できる。また、金網の端部が補強壁の内部に埋め込まれているので、既設外構塀全体を倒壊しないように支えることができる。
第４発明によれば、鋼管杭に固定された鉛直支柱で塀部材を支えるので、基礎コンクリートおよび控壁を無くすことができ、狭い場所でも施工できる。また、鋼管杭を地中に打設するため、鉛直・水平方向に大きな耐力を持ち、地震によって耐震外構塀が倒壊することを防止できる。さらに、鉛直支柱が剛性の高いＰＣ鋼棒であるので、耐震性が高い。
第５発明によれば、鋼管杭に固定された鉛直支柱で塀部材を支えるので、基礎コンクリートおよび控壁を無くすことができ、狭い場所でも施工できる。また、鋼管杭を地中に打設するため、鉛直・水平方向に大きな耐力を持ち、地震によって耐震外構塀が倒壊することを防止できる。また、塀部材はコンクリートに比べ軽量であるので、コンクリートブロック塀に比べて、耐震性が高い。さらに、鉛直支柱が剛性の高いＰＣ鋼棒であるので、耐震性が高い。
第６発明によれば、鋼管杭に固定された鉛直支柱で塀部材を支えるので、基礎コンクリートおよび控壁を無くすことができ、狭い場所でも施工できる。また、鋼管杭を地中に打設するため、鉛直・水平方向に大きな耐力を持ち、地震によって耐震外構塀が倒壊することを防止できる。また、塀部材はコンクリートに比べ軽量であるので、コンクリートブロック塀に比べて、耐震性が高い。また、塀部材が分割されているので、一つの部材が軽量となり、取扱いやすく、クレーンが入れないような狭い場所でも、人力で施工することができる。さらに、鉛直支柱が剛性の高いＰＣ鋼棒であるので、耐震性が高い。
第７発明によれば、鉛直支柱が剛性の高いＰＣ鋼棒であるので、耐震性が高い。
第８発明によれば、鋼管杭に固定された鉛直支柱で塀部材を支えるので、基礎コンクリートおよび控壁を無くすことができ、狭い場所でも施工できる。また、鋼管杭を地中に打設するため、鉛直・水平方向に大きな耐力を持ち、地震によって耐震外構塀が倒壊することを防止できる。また、鋼管杭に固定された鉛直支柱で既設外構塀を支えるので、既設外構塀の耐震補強ができる。さらに、基礎コンクリートを新たに設ける必要がないので、既設外構塀と建物等との間に十分な空間が取れない場合でも施工できる。
第９発明によれば、金網が既設外構塀の表面に貼り付けられているので、既設外構塀を補強でき、地震の際に危険となる上部ブロックの個々の崩壊を防止できる。また、金網の端部が補強壁の内部に埋め込まれているので、既設外構塀全体を倒壊しないように支えることができる。
【図面の簡単な説明】
【０００９】
【図１】本発明の第１実施形態に係る耐震外構塀の斜視図である。
【図２】同耐震外構塀の正面図である。
【図３】図２におけるIII-III線矢視断面図である。
【図４】図２におけるIV-IV線矢視断面図である。
【図５】図４におけるV-V線矢視断面図である。
【図６】地盤改良後の地面の断面図である。
【図７】塀部材の正面図である。
【図８】塀部材の側面図である。
【図９】塀部材の平面図である。
【図１０】図２におけるａ部分の拡大図である。
【図１１】図３におけるｂ部分の拡大図である。
【図１２】塀部材の接続部分の平面視拡大図である。
【図１３】分割した塀部材で構成した耐震外構塀の正面図である。
【図１４】曲線状に施工した耐震外構塀の平面図である。
【図１５】本発明の第２実施形態に係る耐震外構塀の正面図である。
【図１６】図１５におけるXVI-XVI線矢視断面図である。
【図１７】図１５におけるXVII-XVII線矢視断面図である。
【図１８】図１５におけるXVIII-XVIII線矢視断面図である。
【図１９】図１８におけるｃ部分の拡大図である。
【発明を実施するための形態】
【００１０】
つぎに、本発明の実施形態を図面に基づき説明する。
（第１実施形態）
図１〜図４に示すように、本発明の第１実施形態に係る耐震外構塀Ａは、地中に打設された鋼管杭１と、その鋼管杭１に固定された鉛直支柱２と、塀部材４とを備える。
【００１１】
鋼管杭１は、耐震外構塀Ａが敷設される地中に複数本打設される。ここで、鋼管杭１の杭径、杭長、杭間隔等は構造計算により定めることが好ましい。例えば、耐震外構塀Ａに震度６の地震の慣性力1000galを作用させた場合の構造計算を行えば、杭長を1〜1.5m、杭間隔を1.2〜2m、杭径を腐食代を考慮して100mmとすることが考えられる。なお、鋼管杭１の打設には、地盤掘削用ハンドオーガや油圧杭打機等が用いられる。
【００１２】
鋼管杭１の内部には、鉛直支柱２が適当な長さまで挿入される。そして、図５に示すように、鋼管杭１の内部にモルタルやコンクリート等を充填し固結することで、鉛直支柱２が鋼管杭１に固定されている。
鉛直支柱２は、剛性の高い素材であることが好ましく、例えばＰＣ鋼棒が用いられる。この鉛直支柱２の径も構造計算により定めることが好ましい。
【００１３】
塀部材４は、隣り合う鉛直支柱２、２の間に挿入されるが、その塀部材４と地面との間にはコンクリート台３が設けられる。コンクリート台３は、高さを約10cmとし、地表から深さ5cm程度埋め込むことが好ましい。また、コンクリート台３の幅は、塀部材４の厚さより少し大きくすることが好ましい。
【００１４】
なお、図６に示すように、耐震外構塀Ａを施工する場所の地盤強度が弱い場合には、適当な深さおよび幅で良質土７により地盤改良を行ったうえで、鋼管杭１の打設と、コンクリート台３の設置を行うことが好ましい。
【００１５】
図７〜図９に示すように、塀部材４は、板状の木質材４ａと、その木質材４ａの底面に貼り付けられた外壁材４ｂと、木質材４ａの両面に貼り付けられた外壁材４ｃ、４ｃとからなる。木質材４ａの両面に貼り付けられた外壁材４ｃ、４ｃは、その幅寸法が木質材４ａの幅寸法より長くなっており、木質材４ａの両側縁から突出するようになっている。そのため、塀部材４の両端は、平面視において外側に開口したコの字型となっており、鉛直方向に長い溝が形成されている。
【００１６】
木質材４ａとしては、例えば間伐材や木造建築廃材等が用いられる。構造用合板を用いれば、圧縮強さが10N/mm2以上、曲げ強さが22N/mm2以上であり、耐震外構塀Ａとしての強度に問題ない。また、構造用合板以外にも、パーティクルボード等であっても強度に問題ない。
また、外壁材４ｃ、４ｃに、あらかじめ装飾を施し、耐火性や耐久性等を向上させておいてもよい。
【００１７】
図２に示すように、塀部材４は、隣り合う鉛直支柱２、２の間に挿入される。ここで、図１０に示すように、塀部材４には、木質材４ａの両側縁上方に、吊金具６が取り付けられている。そのため、小型クレーン等にこの吊金具６を用いて玉掛けし、小型クレーンの操作で塀部材４を鉛直支柱２、２の間に挿入することができ、施工が容易となる。
【００１８】
塀部材４を鉛直支柱２、２の間に挿入していくと、図１１に示すように、隣り合う塀部材４、４のコの字型の端部同士が対向し、鉛直方向に長い四角柱状の鉛直空間が形成される。そして、この鉛直空間内に鉛直支柱２が挿入されるようになる。
この鉛直空間内に高強度のモルタルや接着剤等の充填材を充填して、その充填材が固結することで、塀部材４と鉛直支柱２とが連結される。
【００１９】
ここで、図１２に示すように、吊金具６は、木質材４ａの両側縁に互い違いに取り付けられているので、隣り合う塀部材４、４の吊金具６、６同士が干渉することがない。
また、木質材４ａの両側縁に吊金具６が取り付けられているので、吊金具６は鉛直空間内に収まり、施工後は吊金具６が隠れ、邪魔にならず、外観が損なわれない。
【００２０】
最後に、笠木５を塀部材４の上端に取り付けることで耐震外構塀Ａが完成する。
【００２１】
以上のごとく、耐震外構塀Ａは、鋼管杭１に固定された鉛直支柱２で塀部材４を支えるので、一般的なコンクリート塀に必要な基礎コンクリートおよび控壁を無くすことができ、狭い場所でも施工できる。
また、鋼管杭１を地中に打設するため、鉛直・水平方向に大きな耐力を持ち、地震によって耐震外構塀Ａが倒壊することを防止できる。
さらに、塀部材４は木質材４ａで構成されており、コンクリートに比べ軽量であるので、コンクリートブロック塀に比べて、耐震性が高い。
【００２２】
なお、上記実施形態では、塀部材４を耐震外構塀Ａの上から下までの高さ寸法を有する大型のものとしたが、これに代えて、図１３に示すように、上下に２分割した塀部材４´、４´´としてもよい。このように、塀部材４を分割すれば、一つの塀部材４´、４´´が軽量となり、取扱いやすく、クレーンが入れないような狭い場所でも、人力で施工することができる。塀部材４は２分割の他、３分割以上としてもよい。また、鉛直方向に分割してもよいし水平方向に分割してもよい。
【００２３】
さらになお、耐震外構塀Ａを平面視曲線状に施工する場合には、図１４に示すように、隣り合う塀部材４、４同士に傾きを持たせて施工すればよい。この場合、幅寸法の短い塀部材４´´´を用いれば、滑らかな曲線状に施工することができる。
【００２４】
（第２実施形態）
図１５に示すように、本発明の第２実施形態に係る耐震外構塀Ｂは、第１実施形態に係る耐震外構塀Ａの塀部材４に代えて既設の外構塀ｗとし、その既設外構塀ｗに耐震工事を施したものである。ここで、既設外構塀ｗは、例えばコンクリートブロック塀であり、地中に埋没された側面字Ｌ字型の基礎コンクリートと、その基礎コンクリートの上に積層されたコンクリートブロックにより構成された塀部分とからなる。
【００２５】
まず、鋼管杭１は、既設外構塀ｗの片側（敷地側）から所定間隔を空けて基礎コンクリートを避けた位置に、既設外構塀ｗに沿って地中に複数本打設される。ここで、鋼管杭１の杭径、杭長、杭間隔等は構造計算により定めることが好ましい。特に、杭間隔は、既設外構塀ｗの目地間隔の倍数として、構造計算により定めることが好ましい。
【００２６】
つぎに、鋼管杭１の内部に、鉛直支柱２を適当な長さまで挿入し、鋼管杭１の内部にモルタルやコンクリート等を充填し固結することで、鉛直支柱２を鋼管杭１に固定する。
【００２７】
つぎに、図１６、図１８に示すように、既設外構塀ｗを穿孔してホールインアンカー８を設置する。この際、ホールインアンカー８を、鉛直支柱２と対向する位置であって既設外構塀ｗの上部に３〜４段程度配置する。
そして、Ｊ字型の連結鉄筋９の一端であるフックを鉛直支柱２に引っ掛けるとともに、他端をホールインアンカー８に固定することで、既設外構塀ｗと鉛直支柱２とを連結する。
つぎに、図１７に示すように、金網１０を既設外構塀ｗの表面に接着剤等で貼り付け、その端部を後述の補強壁１１の内部に埋め込まれるように折り曲げる。この際、金網１０は、既設外構塀ｗの上部から１／３〜１／２程度の範囲に貼り付ければよい。一方、補強壁１１には、上部から下部に渡って全体に埋め込むことが好ましい。
【００２８】
つぎに、鉛直支柱２、連結鉄筋９および金網１０を包み込むように、かつ、既設外構塀ｗと鉛直支柱２とを連結するように、コンクリートを打設し固結させて、補強壁１１を形成する。最後に、既設外構塀ｗに貼り付けられた金網１０の上から、10〜20mm程度の軽量モルタル等を吹き付け、既設外構塀ｗと金網１０との接着力を高め、防水性を高める。
【００２９】
以上のごとく、鉛直・水平方向に大きな耐力を持つ鋼管杭１に固定された鉛直支柱２で既設外構塀ｗを支えるので、既設外構塀ｗの耐震補強ができる。
また、基礎コンクリートを新たに設ける必要がないので、既設外構塀ｗと建物等との間に十分な空間が取れない場合でも施工できる。
【００３０】
また、金網１０が既設外構塀ｗの表面に貼り付けられているので、既設外構塀ｗを補強でき、ひび割れを防止できる。特に、地震によるコンクリート塀の倒壊は塀の上部のブロックから個々に崩壊していくが、金網１０を既設外構塀ｗの上部から１／３〜１／２程度の範囲に貼り付ければ、地震の際に危険となる塀の上部のブロックを連結でき、個々に崩壊することを防止できる。
さらに、金網１０の端部が補強壁１１の内部に埋め込まれているので、既設外構塀全体ｗを倒壊しないように支えることができる。また、補強壁１１は新設のコンクリートを打設して形成されるが、金網１０を上部から下部に渡って全体に埋め込めば、補強壁１１のひび割れや劣化を防止できる。
【００３１】
なお、既設外構塀ｗに鉄筋が十分配置されている場合には、金網１０の設置を省略してもよい。
【符号の説明】
【００３２】
１    鋼管杭
２    鉛直支柱
３    コンクリート台
４    塀部材
５    笠木
６    吊金具
７    良質土
８    ホールインアンカー
９    連結鉄筋
１０  金網
１１  補強壁
【図１】
0005638446.tif 000002
【図２】
0005638446.tif 000003
【図３】
0005638446.tif 000004
【図４】
0005638446.tif 000005
【図５】
0005638446.tif 000006
【図６】
0005638446.tif 000007
【図７】
0005638446.tif 000008
【図８】
0005638446.tif 000009
【図９】
0005638446.tif 000010
【図１０】
0005638446.tif 000011
【図１１】
0005638446.tif 000012
【図１２】
0005638446.tif 000013
【図１３】
0005638446.tif 000014
【図１４】
0005638446.tif 000015
【図１５】
0005638446.tif 000016
【図１６】
0005638446.tif 000017
【図１７】
0005638446.tif 000018
【図１８】
0005638446.tif 000019
【図１９】
0005638446.tif 000020